(57)【特許請求の範囲】
【請求項１】
金属製の筒状重しに鉄棒を挿通して、前記筒状重しの両側に抜止めとなるストッパーを前記鉄棒に固定すると共に、
切断したり割ったりする刃物状部を前記鉄棒の一端に設け、前記刃物状部側の端部をリングに挿通して固定し、かつこのリングと前記筒状重し側のストッパーとの間を第４のリングに挿通し固定してあることを特徴とするスラストハンマー。
【請求項２】
杭の上端に被せる筒体の上端を閉じると共に２本のＬ字状の角を互いに平行にかつ前記筒体の上に上向きに取付け固定してなり、前記２本のＬ字状の角の間に前記鉄棒を通して、前記鉄棒に固定したリングを引っ掛けると、下向きの力が前記の筒体を介して前記の杭に作用する構造であることを特徴とする請求項１に記載のスラストハンマー。
【請求項３】
吊り下げた滑車に掛けた線材の片方を杭に取付け、前記の筒状重しを備えた鉄棒に他方を取付けて杭抜きする構造を特徴とする請求項１に記載のスラストハンマー。
【請求項４】
杭の上端に被せる筒体の上端を閉じると共に２本のＬ字状の角を互いに平行にかつ前記筒体の上に上向きに取付け固定してなり、前記２本のＬ字状の角の間に前記鉄棒を通して、前記鉄棒に固定したリングを引っ掛けると、下向きの力が前記の筒体を介して前記の杭に作用するように組み付けた状態で、
金属製の筒状重しに鉄棒を挿通して、前記筒状重しの両側に抜止めとなるストッパーを前記鉄棒に固定すると共に、切断したり割ったりする刃物状部を前記鉄棒の一端に設け、前記刃物状部側の端部をリングに挿通して固定し、かつこのリングと前記筒状重し側のストッパーとの間を第４のリングに挿通し固定してあるスラストハンマーを使用して、その刃物状部を上にして、鉄棒を挿通固定したリングを引っ掛けて筒状重しを上下動し、前記筒体に衝撃力を加えることを特徴とするスラストハンマーによる杭打ち方法。
【発明の詳細な説明】
【技術分野】
【０００１】
ハンマーによる打撃力を利用して切断や杭打ちなどを行なうのに利用される多用途型スラストハンマーに関する。
【背景技術】
【０００２】
杭打ちを行なう際に、例えば身長より高い杭を打ち込むには、脚立などに乗った状態で重いハンマーを振り降ろす動作を繰り返すことになり、高齢者には危険でもある。
【先行技術文献】
【特許文献】
【０００３】
【特許文献１】特開2011−220078
【発明の概要】
【発明が解決しようとする課題】
【０００４】
そこで、特許文献１に記載のように、杭に被せる長い円筒体の上端に天井部を固定すると共に、杭を横から挿入するスリットを設け、かつ手に持って上下させる取っ手を固定して、スリットから杭を嵌入させる構造が提案されている。
しかしながら、このような構造では、円筒体を長くする必要があり、また杭打ち専用に用途が限られてしまう。
本発明の技術的課題は、このような問題に着目し、背丈の高い杭でも容易に打ち込みや杭抜きができ、しかも切断にも利用できる多用途型のスラストハンマーを実現する。
【課題を解決するための手段】
【０００５】
本発明の技術的課題は次のような手段によって解決される。請求項１は、金属製の筒状重しに鉄棒を挿通して、前記筒状重しの両側に抜止めとなるストッパーを固定すると共に、
切断したり割ったりする刃物状部を前記鉄棒の一端に設け、前記刃物状部側の端部をリングに挿通して固定し、かつこのリングと前記筒状重し側のストッパーとの間を第４のリングに挿通し固定してあることを特徴とするスラストハンマーである。
【０００６】
請求項２は、杭に被せる筒体の一端を閉じると共に２本のＬ字状の角を互いに平行にかつ前記筒体とは逆向きに取付け固定してなり、前記２本のＬ字状の角の間に前記鉄棒を通して、前記鉄棒に固定したリングを引っ掛けると、下向きの力が前記の筒体を介して前記の杭に作用する構造であることを特徴とする請求項１に記載のスラストハンマーである。
【０００７】
請求項３は、吊り下げた滑車に掛けた線材の片方を杭に取付け、前記の筒状重しを備えた鉄棒に他方を取付けて杭抜きする構造を特徴とする請求項１に記載のスラストハンマーである。
【０００８】
請求項４は、杭の上端に被せる筒体の上端を閉じると共に２本のＬ字状の角を互いに平行にかつ前記筒体の上に上向きに取付け固定してなり、前記２本のＬ字状の角の間に前記鉄棒を通して、前記鉄棒に固定したリングを引っ掛けると、下向きの力が前記の筒体を介して前記の杭に作用するように組み付けた状態で、
金属製の筒状重しに鉄棒を挿通して、前記筒状重しの両側に抜止めとなるストッパーを前記鉄棒に固定すると共に、切断したり割ったりする刃物状部を前記鉄棒の一端に設け、前記刃物状部側の端部をリングに挿通して固定し、かつこのリングと前記筒状重し側のストッパーとの間を第４のリングに挿通し固定してあるスラストハンマーを使用して、その刃物状部を上にして、鉄棒を挿通固定したリングを引っ掛けて筒状重しを上下動し、前記筒体に衝撃力を加えることを特徴とするスラストハンマーによる杭打ち方法である。
【発明の効果】
【０００９】
請求項１のように、金属製の筒状重しに鉄棒を挿通して、前記筒状重しの両側に抜止めとなるストッパーを前記鉄棒に固定してあると、筒状重しを上下動して鉄棒に衝撃力を伝達できるので、この衝撃力を利用して植物の値切りをしたり、薪割りをしたり、杭の打ち込みや抜き取りなどが可能となり、用途は多大である。
しかも、切断したり割ったりする刃物状部を前記鉄棒の一端に設け、前記刃物状部側の端部をリングに挿通して固定し、かつこのリングと前記筒状重し側のストッパーとの間を第４のリングに挿通し固定してある構造は、図１〜図３に図示してある。また、段落「0016」の冒頭には、「図３は、杭打ちに使用する場合であり、ノミ状部２を上側にし、その状態で上側のリングＲ４又はＲ５を杭キャップＣの二股に引っ掛ける。」と記載されている。
【００１０】
請求項２のように、杭の上端に被せる筒体の上端を閉じると共に２本のＬ字状の角を互いに平行にかつ前記筒体の上に上向きに取付け固定してなり、前記２本のＬ字状の角の間に前記鉄棒を通して、前記鉄棒に固定したリングを引っ掛けると、下向きの力が前記の筒体を介して前記の杭に作用するので、筒状重しにより衝撃力を加えることで、杭打ちが可能となる。しかも、杭の上端に被せた筒体に、鉄棒に設けたストッパーを引っ掛け、筒状重しの上下動は最適の位置で可能なため、安全性が増す。
【００１１】
請求項３のように、吊り下げた滑車に掛けた線材の片方を杭に取付け、前記の筒状重しを備えた鉄棒に他方を取付けてあるので、滑車によって、筒状重しの衝撃力を杭の抜去力に変換でき、多用途が可能となる。
【００１２】
請求項４のように、杭の上端に被せる筒体の上端を閉じると共に２本のＬ字状の角を互いに平行にかつ前記筒体の上に上向きに取付け固定してなり、前記２本のＬ字状の角の間に前記鉄棒を通して、前記鉄棒に固定したリングを引っ掛けると、下向きの力が前記の筒体を介して前記の杭に作用するように組み付けた状態で、
金属製の筒状重しに鉄棒を挿通して、前記筒状重しの両側に抜止めとなるストッパーを前記鉄棒に固定すると共に、切断したり割ったりする刃物状部を前記鉄棒の一端に設け、前記刃物状部側の端部をリングに挿通して固定し、かつこのリングと前記筒状重し側のストッパーとの間を第４のリングに挿通し固定してあるスラストハンマーを使用して、その刃物状部を上にして、鉄棒を挿通固定したリングを引っ掛けて筒状重しを上下動し、前記筒体に衝撃力を加えるように組み付けて図３の状態とする。この状態で、鉄棒を挿通固定したリングを引っ掛けて筒状重しを上下動し、前記筒体に衝撃力を加えると、杭が打ち込まれる。
【図面の簡単な説明】
【００１３】
【図１】本発明による多用途型のスラストハンマーで根切りしている斜視図である。
【図２】本発明による多用途型のスラストハンマーの他の実施形態を示す斜視図である。
【図３】本発明による多用途型のスラストハンマーで杭打ちしている状態を示す斜視図である。
【図４】本発明による杭キャップを示す斜視図である。
【図５】本発明による多用途型のスラストハンマーで杭抜きしている状態を示す斜視図である。
【図６】専用の支柱を用いて杭抜きしている状態を示す斜視図である。
【図７】上部をＬ状に曲げた支柱を用いて杭抜きする状態を示す斜視図である。
【図８】ジャッキを用いて杭抜きしている状態を示す斜視図である。
【発明を実施するための形態】
【００１４】
次に本発明による多用途型のスラストハンマーが実際上どのように具体化されるか実施形態で説明する。図１は、本発明による多用途型スラストハンマーの斜視図であり、鉄筋のような鉄棒１をナットのようなリングＲ…に挿通し、溶接して接合してある。リングＲ…は、所望の間隔をおいて複数固設けてあり、また二つのリングＲ１とＲ２との間で、金属製の筒状重しＷに鉄棒１を挿通し、二つのリングＲ１とＲ２との間で、筒状重しＷが自由にスライド移動できる。
この鉄棒１の一端はノミ状２に尖っており、他端は単に平坦状３でもよいし、図２のようにリングＲ３を固定してあってもよい。この端部のリングＲ３には鉄棒１を挿通させず、浅く挿入して位置決めした状態に溶接し、固定してある。
【００１５】
使用に当たっては、図１のように、尖った部分２を植物の根４に位置決めした状態で、筒状重しＷを移動させて、その下側のリングＲ２を叩くと、ノミ状部２で根４が切断される。
このように、ノミ状部２を位置決めする操作を入念に行えは足り、筒状重しＷで叩く操作はラフでもよい。鉄棒１でガイドされており、しかも下側のリングＲ２を叩くだけで足りるからである。
図２のように、鉄棒１を逆さにして、端部のリングＲ３を下にし、釘などの頭部が前記リングＲ３の中に入るようにすれば、比較的容易に位置決めでき、引き続いて筒状重しＷを下ろしてリングＲ１を叩くだけで、釘打ちができる。
【００１６】
図３は、杭打ちに使用する場合であり、ノミ状部２を上側にし、その状態で上側のリングＲ４又はＲ５を杭キャップＣの二股に引っ掛ける。
図４は、杭キャップＣの拡大斜視図であり、杭４に被せる筒体５の一端を円板６などで閉じ、溶接固定してある。また、Ｌ字状に曲げた２本の角Ｌ１、Ｌ２を互いに平行にかつ前記筒体５とは逆向きに、Ｌ字状部が筒体５からはみ出すように取付け固定してある。
杭打ちに際しては、前記２本のＬ字状の角Ｌ１、Ｌ２の間に前記鉄棒１を通して、前記鉄棒１に固定した抜止めリングＲ５を引っ掛けると、下向きの力が前記の筒体５を介して前記の杭４に作用する。そのため、筒状重しＷを下降させてリングＲ１に打ちつけると、その衝撃がリングＲ５→角Ｌ１、Ｌ２→筒体５→杭４の順に伝達し、打ち込まれる。従って、筒状重しＷを繰り返し上下させると、杭４に衝撃力が伝わって、打ち込まれる。
【００１７】
図５は、杭４を抜く場合であり、身近に有る３本の棒７・７・７の一端を縛ってから開くことで、図５のような３本足の支えを組立て、その上端に、滑車８を吊り下げる。そして、滑車８に掛けたロープの片方８１を杭４に直接縛りつけると滑りやすい場合は、図８のような円筒１４に挿入してボルト１５を締め付け、クランク状部材１６に引っ掛ける。また、他方８２は本発明の鉄棒１に取付ける。本発明の鉄棒１は、リングＲ５が滑り止めとなる。
従って、筒状重しＷを下降させて下側のリングＲ１を叩くと、その衝撃力が、滑車８に掛けたロープを経由して矢印ａ１のように杭４に上向きに伝わるので、抜ける方向に作用する。その結果、筒状重しＷでリングＲ１を繰り返し叩くことで遂には杭４が抜ける。
【００１８】
図６のように、専用の支柱９が有るときは、その上端のフックＦに滑車８の上端の吊り輪を嵌めて、ロープ付きの滑車８を取付け、ロープの片方８１を杭４に取付け、他方８２を本発明の鉄棒１に取付ける。下端には、支柱９が安定するように３本以上の脚１０…を放射状に接合してある。
図７は、支柱１１の上部をＬ状に曲げて、滑車８の中心穴に挿通し、抜け止めのピン１２を嵌めてある。従って、滑車８にロープを掛けて、その片方を杭４に取付け、他方を本発明の鉄棒１に取付けることは、図６と同じである。なお、下端の脚１３…は水平に接合して、支柱１１を安定させている。
【００１９】
図８のように、ジャッキＪによって、杭４に上向きの力を加えてもよい。この場合は、杭４を挿通できる円筒１４に１以上のボルト１５…を取付けて、杭４に締め付け可能とし、円筒１４の外壁に溶接したクランク状の部材１６にジャッキＪを押し当て可能とする。この状態で、ジャッキＪを駆動すると、クランク状部材１６を介して円筒１４及び杭４が上向きに移動し、抜ける。
ただし、この場合は、ジャッキＪとクランク状部材１６付きの円筒１４が必要となる。
【産業上の利用可能性】
【００２０】
以上のように、金属製の筒状重しに金属棒を挿通して、少なくとも両方に抜止めとなるストッパーを離して固定したスラストハンマーを実現することにより、背丈の高い杭でも容易に打ち込むことができ、杭抜きにも、また切断などにも利用できる。
【符号の説明】
【００２１】
１  金属棒
Ｒ・Ｒ１…Ｒ５  リング
Ｗ  筒状重し
２  ノミ状部
３  平坦面
４  杭
Ｃ  杭キャップ
５  筒体
６  円板
Ｌ１、Ｌ２  角
７  棒
８  滑車
８１  ロープの片方
８２  ロープの他方
９  支柱
Ｆ  フック
１０…  脚
１１  支柱
１２  ピン
１３…  脚
Ｊ  ジャッキ
１４  円筒
１５…  ボルト
１６  クランク状部材
【要約】      （修正有）【課題】背丈の高い杭でも容易に打ち込みや杭抜きができ、しかも切断にも利用できる多用途型のスラストハンマーを提供する。【解決手段】金属製の筒状重しＷに鉄棒１を挿通して、少なくとも両方に抜止めとなるストッパーＲ、Ｒ１，Ｒ２を離して固定してあると、筒状重しＷを上下動して鉄棒１に衝撃力を伝達できるので、この衝撃力を利用して植物の根切りをしたり、薪割りをしたり、杭の打ち込みや抜き取りなどが可能となり、用途は多大である。根切りのために、鉄棒１の一端を刃物状に尖らせてあり、高い杭に被せる筒体の一端を閉じると共に２本のＬ字状の角を互いに平行に設けたキャップを使用して杭打ちする。【選択図】図１【図１】
0005698407.tif 000002
【図２】
0005698407.tif 000003
【図３】
0005698407.tif 000004
【図４】
0005698407.tif 000005
【図５】
0005698407.tif 000006
【図６】
0005698407.tif 000007
【図７】
0005698407.tif 000008
【図８】
0005698407.tif 000009